(57)【要約】【課題】停電等の電源消失時に、ワークの温度を低下させる機能を備えた焼入れ装置を提供することを課題とするものである。【解決手段】鋼製のワーク２を誘導加熱し、または鋼製のワークに直接通電して加熱し、その後に水冷してワーク２を硬化させる焼入れ装置１において、焼入れ装置１に供給される電源が消失した際に、ワーク２を自動的に水冷する緊急冷却手段を備えた焼入れ装置１。【選択図】図３
2019065331.tif 000002
【特許請求の範囲】
【請求項１】
鋼製のワークを誘導加熱し、または鋼製のワークに直接通電して加熱し、その後に冷却してワークを硬化させる焼入れ装置において、
焼入れ装置に供給される電源が消失した際に、前記ワークを自動的に冷却する緊急冷却手段を備えたことを特徴とする焼入れ装置。
【請求項２】
ワークよりも高い位置に設置された貯水タンクを有し、焼入れ装置に供給される電源が消失した際に、前記貯水タンクからワークに水が供給されることを特徴とする請求項１に記載の焼入れ装置。
【請求項３】
加圧タンクを有し、焼入れ装置に供給される電源が消失した際に、前記加圧タンクからワークに水が供給されることを特徴とする請求項１に記載の焼入れ装置。
【請求項４】
気体タンクを有し、焼入れ装置に供給される電源が消失した際に、前記気体タンクからワークに気体が供給されることを特徴とする請求項１に記載の焼入れ装置。
【請求項５】
冷却媒体供給源と、通電時閉の開閉弁を有し、焼入れ装置に供給される電源が消失した際に前記開閉弁が開いてワークに冷却媒体が供給されることを特徴とする請求項１乃至４のいずれかに記載の焼入れ装置。
【請求項６】
冷却媒体供給源と、通電時開の開閉弁と、補助電源と、電源有無検知手段を有し、焼入れ装置に供給される電源が消失したことを前記電源有無検知手段が検知すると、補助電源から開閉弁に電流が供給されて開閉弁を開き、ワークに冷却媒体が供給されることを特徴とする請求項１乃至４のいずれかに記載の焼入れ装置。
【発明の詳細な説明】
【技術分野】
【０００１】
本発明は、高周波焼入装置等の、電気を熱源とする焼入れ装置に関するものである。
【背景技術】
【０００２】
鋼材を熱処理する方策の一つとして高周波焼入れが知られている。高周波焼入れは、短時間で焼入処理が可能であり、且つ、表面側だけを硬化させることができることから、機械部品の焼き入れに広く活用されている。
【０００３】
高周波焼入装置には大きく分けて鋼材に誘導電流を発生させるものと、鋼材に直接高周波電流を通電するものがある。
前者の誘導電流を利用する方式の高周波焼入装置は、高周波発振器やコンデンサ等からなる電源部と、変成器と、誘導加熱コイル等によって構成されている。
そして誘導加熱コイルをワークに近接し、当該誘導加熱コイルに高周波電流を通電し、ワークの表面に誘導電流を励起させる。ワークは自己の表面に発生した電流によって昇温する。そしてワークを一定の温度まで昇温させた後、急冷し、ワークの表面をマルテンサイト化する。
【０００４】
後者の鋼材に直接高周波電流を通電する方式の高周波焼入装置は、電源部が発生する電流を直接的にワークに流し、ワークを昇温させる。そしてワークを一定の温度まで昇温させた後、急冷し、ワークの表面をマルテンサイト化する。
いずれにしても、高周波焼入装置は電気を利用してワークを昇温し、ワークが一定の温度に達したところで急冷する装置である。
【先行技術文献】
【特許文献】
【０００５】
【特許文献１】特開２０１１−２３３３３９号公報
【特許文献２】特開２０１１−５８０５９号公報
【発明の概要】
【発明が解決しようとする課題】
【０００６】
高周波焼入装置は、前記した様に昇温工程と、冷却工程を連続的に行うものであり、一連の工程を終えたワークは、一定以下の温度となっている。そのため直接、素手で触れることは出来ないまでも、大きな危険はなく安全である。
ところで、落雷等の影響により、停電が起きることがある。停電がワークの冷却工程中や、冷却後に発生した場合には、ワークの温度は低下しており、ワークは危険な物ではない。
一方、昇温工程中や、昇温工程を終えた直後に停電が発生すると、ワークは相当に高温であり、危険である。
またワークが高温状態のままで各機器の動作が停止するので、ワークの近傍にある誘導コイルや樹脂製の部材が昇温し、故障の原因となったり、寿命を縮めてしまう場合もある。
【０００７】
そこで本発明は、従来技術の上記した問題点に注目し、停電等の電源消失時に、ワークの温度を低下させる機能を備えた焼入れ装置を提供することを課題とするものである。
【課題を解決するための手段】
【０００８】
上記した課題を解決するための請求項１に記載の発明は、鋼製のワークを誘導加熱し、または鋼製のワークに直接通電して加熱し、その後に冷却してワークを硬化させる焼入れ装置において、焼入れ装置に供給される電源が消失した際に、前記ワークを自動的に冷却する緊急冷却手段を備えたことを特徴とする焼入れ装置である。
【０００９】
本発明の焼入れ装置では、停電等によって焼入れ装置に供給される電源が消失した場合、緊急冷却手段が作動してワークを自動的に冷却する。そのため仮に停電直後のワークが高温状態であったとしても、ワークの温度は一定温度以下に降下し、危険性は低下する。冷却媒体は、水であることが好ましいが、油や冷却用の気体（例えば空気や窒素、二酸化炭素）であってもよい。またミストを利用する冷却方法を採用することもできる。
【００１０】
請求項２に記載の発明は、ワークよりも高い位置に設置された貯水タンクを有し、焼入れ装置に供給される電源が消失した際に、前記貯水タンクからワークに水が供給されることを特徴とする請求項１に記載の焼入れ装置である。
【００１１】
本発明は水を冷却媒体とするものであり、高さ水頭を利用してワークに水を供給するものである。
電源が消失すると、ポンプによる通水はできない。しかしながら、ワークよりも高い位置に設置された貯水タンクの水は、位置エネルギーを有しており、電気を使用しなくてもワークに水を供給することができる。
【００１２】
請求項３に記載の発明は、加圧タンクを有し、焼入れ装置に供給される電源が消失した際に、前記加圧タンクからワークに水が供給されることを特徴とする請求項１に記載の焼入れ装置である。
【００１３】
本発明は水を冷却媒体とするものであり、圧力水頭を利用してワークに水を供給するものである。
前記した様に電源が消失すると、ポンプによる通水はできない。しかしながら加圧タンク内の水は、圧力エネルギーを有しており、電気を使用しなくてもワークに水を供給することができる。
なお加圧タンクは、内部の水を常時加圧しているものでもよく、電源消失時に限って加圧されるものであってもよい。
【００１４】
請求項４に記載の発明は、気体タンクを有し、焼入れ装置に供給される電源が消失した際に、前記気体タンクからワークに気体が供給されることを特徴とする請求項１に記載の焼入れ装置である。
【００１５】
本発明は気体を冷却媒体とするものである。
気体タンク内の気体は、圧力エネルギーを有しており、電気を使用しなくてもワークに空気を供給して空冷することができる。
代表的な気体は空気であるが、窒素や二酸化炭素等であってもよい。
【００１６】
請求項５に記載の発明は、冷却媒体供給源と、通電時閉の開閉弁を有し、焼入れ装置に供給される電源が消失した際に前記開閉弁が開いてワークに冷却媒体が供給されることを特徴とする請求項１乃至４のいずれかに記載の焼入れ装置である。
【００１７】
本発明では、停電等によって電源が消失すると、開閉弁への通電が停止し、開閉弁が開いてワークに水等の冷却媒体が供給される。
【００１８】
請求項６に記載の発明は、冷却媒体供給源と、通電時開の開閉弁と、補助電源と、電源有無検知手段を有し、焼入れ装置に供給される電源が消失したことを前記電源有無検知手段が検知すると、補助電源から開閉弁に電流が供給されて開閉弁を開き、ワークに冷却媒体が供給されることを特徴とする請求項１乃至４のいずれかに記載の焼入れ装置である。
【００１９】
本発明の焼入れ装置は、補助電源を備えている。本発明の焼入れ装置では、停電等によって電源が消失すると、電源有無検知手段がそれを検知し、補助電源から開閉弁に電流が供給されて開閉弁が開く。開閉弁が開くことによってワークに水等の冷却媒体が供給される。
【発明の効果】
【００２０】
本発明の焼入れ装置によると、停電等によって焼入れ装置に供給される電源が消失した場合に、ワークが高温状態であったとしても、ワークの温度は一定温度以下に降下し、危険な物ではなくなる。
【図面の簡単な説明】
【００２１】
【図１】本発明の実施形態の焼入れ装置を概念的に表示した斜視図である。
【図２】図１の焼入れ装置の加熱コイル体の斜視図である。
【図３】（ａ）は図１の焼入れ装置の配管系統図であり、（ｂ）は電気回路図である。
【図４】（ａ）は図３の配管系統図であって、加熱工程に続いて行われる冷却工程における冷却水の流れを示し、（ｂ）は図３の配管系統図であって、停電時における冷却水の流れを示す。
【図５】本発明の他の実施形態の焼入れ装置の配管系統図である。
【図６】（ａ）は本発明のさらに他の実施形態の焼入れ装置の配管系統図であり、（ｂ）（ｃ）は電気回路図である。
【図７】本発明のさらに他の実施形態の焼入れ装置の斜視図である。
【図８】本発明のさらに他の実施形態の焼入れ装置の斜視図である。
【発明を実施するための形態】
【００２２】
以下さらに本発明の実施形態について説明する。
本実施形態の焼入れ装置１は、エンジンのクランクシャフト２を誘導加熱して高周波焼入れする装置である。クランクシャフト２は、鋼製のワークであり、公知の様にジャーナル部とピン部を焼入れする。本実施形態では、クランクシャフト２は焼入れする箇所が６か所あり、それに対応して加熱コイル体３を６基有している。
【００２３】
図２の様に、加熱コイル体３は、クランクシャフト（ワーク）２を誘導加熱するための誘導コイル５と、赤熱したクランクシャフト２に水を噴射し、冷却する冷却ジャケット６が一体化されたものである。
誘導コイル５は、公知の半開放形のコイルである。
冷却ジャケット６は、内部に冷却水が導入される空間７がある。冷却ジャケット６には、冷却水をクランクシャフト２に向かって噴射する孔８が設けられている。
冷却ジャケット６は、誘導コイル５の近傍に設けられている。
【００２４】
加熱コイル体３の冷却ジャケット６には、図３（ａ）に様な外部配管１０が接続されている。外部配管１０には、大きく分けて通常冷却流路１１と、緊急冷却流路２５がある。  通常冷却流路１１は、冷却水タンク１２、ポンプ１３、通電時開の通常冷却用電磁弁（開閉弁）１５及び逆止弁１６が含まれている。「通電時開」とはソレノイドに通電しているときに限って流路が開き、非通電時には流路が閉じる構造の開閉弁である。「通電時開」の電磁弁は、常時閉形の電磁弁とも称される。
通常冷却流路１１は、冷却水タンク１２、ポンプ１３、通電時開の通常冷却用電磁弁１５及び逆止弁１６が直列に接続されて加熱コイル体３の冷却ジャケット６に至る配管回路である。
【００２５】
緊急冷却流路２５はワークを自動的に水冷する緊急冷却手段である。緊急冷却流路２５は、貯水タンク（給水源）２０、通電時閉の緊急冷却用電磁弁（開閉弁）２１及び逆止弁２２が含まれている。「通電時閉」とは、ソレノイドに通電しているときに限って流路が閉じ、非通電時には流路が開いている構造の開閉弁である。「通電時閉」の電磁弁は、常時開形の電磁弁とも称される。
緊急冷却流路２５は、貯水タンク２０、通電時閉の緊急冷却用電磁弁２１及び逆止弁２２が直列に接続され、通常冷却流路１１と合流して加熱コイル体３の冷却ジャケット６に至る配管回路である。
【００２６】
貯水タンク２０は緊急冷却手段の給水源であり、物理的に加熱コイル体３の冷却ジャケット６に比べて高い位置に設置されており、貯留される水は位置エネルギーを有している。貯水タンク２０は、ボールタップ２８等の水位維持手段を有し、内部には常に一定以上の水が溜められている。
水位維持手段はボールタップ２８に限定されるものではなく、水位センサーを利用したものでもよく、常時通水して余剰の水をオーバーフローさせるものであってもよい。
【００２７】
緊急冷却用電磁弁２１は、前記した様に通電時閉（常時開形）の電磁弁であり、ソレノイドに通電することによって流路が閉じる。緊急冷却用電磁弁２１は、ソレノイドに対する通電なされている際には、流路が閉じ、緊急冷却流路２５の通水が阻止される。
【００２８】
緊急冷却用電磁弁２１に対する給電回路は、図３（ｂ）の通りである。
即ち焼入れ装置１には、外部の商用電源３０から電力が供給され、全ての電気機器が当該商用電源３０から供給される電力によって駆動する。
図３（ｂ）は、要部だけを図示するものであるが、高周波発振器３１に対する入力電力が商用電源３０から供給される。また高周波発振器３１は図示しないトランスやコンデンサーを介して加熱コイル体３の誘導コイル５に接続されている。
また商用電源３０に繋がる電源ラインには、緊急冷却用電磁弁２１が並列接続されている。また緊急冷却用電磁弁２１に対して直列に手動スイッチ３３が接続されている。手動スイッチ３３は、Ｂ接点スイッチであり、作業者がスイッチをＯＮすると回路が遮断される。手動スイッチ３３は、常時閉となるスイッチであり、作業者がスイッチをＯＮすると回路が開いて通電が遮断され、緊急冷却用電磁弁２１に対する通電が停止する。
【００２９】
次に、焼入れ装置１の機能について説明する。
鋼製ワークたるクランクシャフト２は、焼入れする箇所が６か所あり、対応する加熱コイル体３を順次駆動して全ての焼入れ箇所が焼入れされる。
各部の焼入れは、加熱工程と、冷却工程を順次実行することにより行われる。
即ち特定の焼入れ部に加熱コイル体３の誘導コイル５を被せ、誘導コイル５に通電することにより、誘導コイル５の周囲にに変動する磁界を発生させる。そしてクランクシャフト２を変動磁界にさらして表面に誘導電流を生じさせる。その結果、クランクシャフト２は急速に昇温し、赤熱状態となる。
【００３０】
誘導コイル５への通電を一定時間行った後は、誘導コイル５への通電を停止し、通電時開の通常冷却用電磁弁１５に通電して通常冷却流路１１を開く。なお通常冷却流路１１のポンプ１３は常に駆動している。そのため通常冷却用電磁弁１５に通電して通常冷却流路１１を開くと、図４（ａ）の様にポンプ１３で加圧された冷却水が通常冷却流路１１を通過して冷却ジャケット６に至り、冷却ジャケット６の孔８から水が噴射されて赤熱状態のクランクシャフト２にかかり、クランクシャフト２が急冷される。
【００３１】
なお緊急冷却流路２５に配された緊急冷却用電磁弁２１は、通電時閉（常時開）の電磁弁であり、商用電源３０が有効である限り、緊急冷却用電磁弁２１のソレノイドに電流が供給されるので閉状態を保っている。そのため緊急冷却流路２５に通水は生じない。また緊急冷却流路２５には逆止弁２２があり、通常冷却流路１１側から貯水タンク２０側への通水が阻止されるから、ポンプ１３で加圧された水が貯水タンク２０側に逆流することはない。
こうして一つの焼入れ箇所に対する焼入れ処理が完了する。
【００３２】
次に、焼入れ処理の実行中に停電が発生し、焼入れ装置１に対する供給電源が消失した場合の動作について説明する。
仮に加熱工程の最中や加熱工程が終了し冷却工程が完了する前に停電が生じると、クランクシャフト２は高温状態となっている。
焼入れ装置１に対する供給電源が消失しているので、通常冷却流路１１のポンプ１３は停止しており、通常冷却流路１１から冷却ジャケット６に対する水の供給はできない。
【００３３】
一方、焼入れ装置１に対する供給電源が消失しているので、緊急冷却用電磁弁２１に対しても通電が停止する。ここで緊急冷却用電磁弁２１は、通電時閉（常時開）の電磁弁２１であるから、通電が停止すると通水可能な状態となり、緊急冷却流路２５が開かれる。
また貯水タンク２０は物理的に高い位置にあり、貯留水は位置エネルギーを持っているから、緊急冷却用電磁弁２１が開いて緊急冷却流路２５が開放されると、図４（ｂ）の様に貯水タンク２０内の水が冷却ジャケット６に至り、冷却ジャケット６の孔８から水が噴射される。また貯水タンク２０の位置は、少なくともクランクシャフト２よりも高いので、冷却ジャケット６の孔８から噴射された水は、クランクシャフト２に届き、クランクシャフト２が急冷される。
そのため赤熱状態であったクランクシャフト２は、危険な状態を脱する。
なお通常冷却流路１１には逆止弁１６があり、緊急冷却流路２５から供給された水が冷却水タンク１２側に逃げることはない。
【００３４】
本実施形態の焼入れ装置１は、手動スイッチ３３を操作してもワークたるクランクシャフト２に水が供給される。即ち手動スイッチ３３はＢ接点スイッチであり、作業者がスイッチをＯＮすると回路が遮断される。そのため手動スイッチ３３を操作すると緊急冷却用電磁弁２１に対する通電が停止し、緊急冷却流路２５が開かれてワークたるクランクシャフト２に水が供給される。
本実施形態では、図１の様に手動スイッチ３３は、焼入れ装置１の本体部分に設置されている。
【００３５】
以上説明した実施形態では、貯水タンク２０を高い位置に設置し、ワークとの落差を利用してワークに冷却水を供給した。
本発明は、この構成に限定されるものではなく、圧力を利用してワークに冷却水を供給してもよい。
図５に示す焼入れ装置４０は、加圧タンク４１を有し、加圧タンク４１内に水が貯留されている。加圧タンク４１は、空気溜め４２と接続されており、内部が常に一定の圧力に加圧されている。空気溜め４２は空気タンクである。
他の構成部材は前記した実施形態と同一であるから同一の番号を付して重複した説明を省略する。
また加圧タンク４１の内部は高圧であるから、貯留水は圧力エネルギーを持っている。緊急冷却用電磁弁２１が開いて緊急冷却流路２５が開放されると、加圧タンク４１内の水が冷却ジャケット６に至り、冷却ジャケット６の孔８から水が噴射される。
【００３６】
前記した実施形態では、緊急冷却用電磁弁２１として通電時閉の電磁弁を使用したが、例えば図６（ｂ）の様な回路を採用することによって通電時開（常時閉）の電磁弁５１に置き換えることもできる。
図６（ａ）に示す焼入れ装置５０は、緊急冷却用電磁弁５１として通電時開の電磁弁５１が採用されている。
電気回路は、図６（ｂ）の様な主回路５２と、図６（ｃ）の様な補助電源回路５３を有している。
【００３７】
主回路５２にはリレー５５があり、リレー５５には常時通電されている。リレー５５はＢ接点５８を持つ。補助電源回路５３は電池（補助電源）５７と、緊急冷却用電磁弁５１とリレー５５のＢ接点５８が直列接続されている。
リレー５５は電源有無検知手段として機能する。リレー５５の接点はＢ接点５８であるから、リレー５５に通電されてい間、リレー５５のＢ接点５８は開いている。
そのため焼入れ装置５０に対する供給電源が維持されている間は、リレー５５に通電され続いていてＢ接点５８は開いており、補助電源回路５３は遮断され、緊急冷却用電磁弁５１への通電は無い。ここで緊急冷却用電磁弁５１は、通電時開の電磁弁５１であるから、冷却用電磁弁５１は開かず、緊急冷却流路２５に通水は生じない。
【００３８】
一方、焼入れ装置５０に対する供給電源が消失すると、Ｂ接点５８がつながる。
焼入れ装置５０に対する供給電源が消失すると、リレー５５に対しても通電が停止する。その結果、補助電源回路５３のＢ接点５８が閉状態となり、緊急冷却用電磁弁５１に通電されて緊急冷却流路２５が開かれ、ワークたるクランクシャフト２に水が供給される。
【００３９】
以上説明した実施形態は、冷却ジャケット６から冷却水を噴射してワークを冷却する形式の焼入れ装置１，４０，５０について説明したが、浸漬形と称される冷却方式を採用する焼入れ装置６０にも本発明を適用することができる。
図７は浸漬形の冷却方式を採用する焼入れ装置６０の一例を示す。
焼入れ装置６０は、昇降台６１と、水槽６２を有している。ワーク（歯車）６３は、昇降台６１に載置され、誘導コイル６５，６６によって加熱される。その後、昇降台６１が降下して、ワーク６３を水槽６２に沈め、冷却する。
本実施形態の焼入れ装置６０では、昇降台６１の近傍に緊急冷却ノズル６８が設置されている。緊急冷却ノズル６８には、前記した貯水タンク２０が接続されており、両者の間に、通電時閉の緊急冷却用電磁弁２１がある。
【００４０】
また以上説明した実施形態は、いずれも誘導加熱によってワークを昇温するものであるが、図８に示す焼入れ装置７０の様に、ワークに直接通電して昇温する形式のものにも本発明を適用可能である。
図８に示す焼入れ装置７０は、加熱ステーション７１と冷却ステーション７２に分かれている。
加熱ステーション７１は、二つの端子７５，７６を有し、両者の間には電圧が印加されている。ワーク７７は、二つの端子７５，７６の間に設置されて直接通電され、昇温する。
赤熱状態のワーク７７は、図示しないマジックハンドで冷却ステーション７２に運ばれる。冷却ステーション７２は、設置台７８と、冷却ジャケット８０を有し、冷却ジャケット８０から冷却水が噴射されてワーク７７が冷却される。
【００４１】
本実施形態では、加熱ステーション７１の近傍に緊急冷却ノズル６８が設置されている。緊急冷却ノズル６８には、前記した貯水タンク２０が接続されており、両者の間に、通電時閉の緊急冷却用電磁弁２１がある。
図８に示す焼入れ装置７０は、加熱ステーション７１と冷却ステーション７２に分かれているが、冷却ジャケット８０を加熱ステーション７１に設置し、ワークを加熱ステーション７１に置いたままの状態で、冷却する構造のものであってもよい。
【００４２】
以上説明した実施形態は、冷却ジャケット６や緊急冷却ノズル６８からワークに冷却水を噴射してワークを緊急冷却するものである。即ち上記した実施形態は、いずれもワークを緊急冷却する冷却媒体として水を使用しているが、本発明は、水以外のものを冷却媒体とすることを否定するものではない。例えばミストを冷却媒体として使用することもできる。また空気を冷却媒体とすることもできる。
例えば図５に示す焼入れ装置４０において、加圧タンク４１を単なる空気タンク（気体タンク）に置き換えたり、加圧タンク４１を省略して空気溜め（気体タンク）４２を直接、通電時閉の緊急冷却用電磁弁（開閉弁）２１に接続することにより、空冷式の緊急冷却手段を実現することができる。
【符号の説明】
【００４３】
１，４０，５０，６０，７０  焼入れ装置
２  クランクシャフト（鋼製ワーク）
３  加熱コイル体
５  誘導コイル
６  冷却ジャケット
１１  通常冷却流路
２０  貯水タンク
２１  緊急冷却用電磁弁
２５  緊急冷却流路
３０  商用電源
４１  加圧タンク
４２  空気溜め（気体タンク）
５１  緊急冷却用電磁弁
５３  補助電源回路
５７  電池（補助電源）
６８  緊急冷却ノズル
７７  ワーク
【図１】
2019065331.tif 000003
【図２】
2019065331.tif 000004
【図３】
2019065331.tif 000005
【図４】
2019065331.tif 000006
【図５】
2019065331.tif 000007
【図６】
2019065331.tif 000008
【図７】
2019065331.tif 000009
【図８】
2019065331.tif 000010